(57)【要約】      （修正有）【課題】従来、バッグが重い時バッグの取っ手をそのまま持ったり肩に掛けたりしていた。レジ袋等の取っ手は細く、手にくい込みます。肩かけバッグやリュック等は肩にくい込みます。特に複数のレジ袋を持つと１つのラインに力が集中して手にくい込んでいた。又、持ち手に汗をかいて、手のにおいが気になった。【解決手段】硬い１ボディＡにクッション性のある２カバーＡを取り付け、ガイドＡの上にレジ袋等を掛けます。１ボディＡ２カバーＡが緩衝物となり手肩の負担を減らす。１つのラインに力がかかっていたのを面で当たる様にし力を分散させる。そうする事で手肩の負担を少なくし、次々とレジ袋等を引っ掛けても痛さが減る。汗をかいても吸収性がよく洗濯もできる様布やスポンジ製にし又体臭をとり除くため香料や防臭剤をつけた。又バンドＡをつけ腕輪の様にして持ち運びを便利にした。【選択図】図１
2007125353.tif 000002
【特許請求の範囲】
【請求項１】
図１の▲１▼ボディＡ  ▲２▼カバーＡ、▲７▼バンドＡで構成された物で接着剤等でひっつけてない物。
▲１▼ボディＡは、ＡＢＳ樹脂の物。▲２▼カバーＡはニトリルゴムの物。
▲７▼バンドＡはゴムの物でマジックテープは、ポリアミド製の物で、糸で縫いつけた物。
【請求項２】
請求項１の物に図２の様にキーホルダ穴を６個あけた物で▲４▼カバーＢの様に指の形のあるカバーの物。
又、キーホルダ穴の左にキーホルダと香料入りのプラスチックケースをつけた物。
【発明の詳細な説明】
【技術分野】
【０００１】本発明は、重いバッグを持ち易くするための物
【背景技術】従来バッグの取っ手をそのまま持ったり肩に掛けたりしていた。
【発明の開示】
【発明が解決しようとする課題】従来バッグが重い時長時間持っていると手や肩が痛くなった。
本発明は、少しでも手肩の負担を軽減しようとした物。
【課題を解決するための手段】図１の様に▲１▼ボディＡを▲２▼カバーＡをはめ込んだ物を持ち、ガイドＡの上にバッグの取っ手を乗せる事で直接細いバッグの取っ手を持たなくて済む様にした。
肩に掛けても同様である。
【発明の効果】上述した様に本発明が緩衝物となり手や肩の負担が減った。
【発明を実施するための最良の形態】
【０００２】以下本発明の実施の形態について説明する。
▲１▼ボディＡを、▲２▼カバーＡに乗せて、ガイドＡにレジ袋等の取っ手を掛け、手に持つ。
又、そのまま腕や、取っ手の長いタイプのバッグは肩にも掛けられる。
持ち歩く時はそのまま持ってもいいが、図５の▲７▼バンドＡを▲１▼ボディＡのガイドＡの上に乗せ▲９▼カバーＣとマジックテープの間に腕を入れて腕輪の様にして持ち歩いてもよい。そのままの状態でレジ袋を次々と掛けてもよい。
▲９▼カバーＣはクッション性がよく、又、腕とほぼ面で接するので単にレジ袋を掛けるより痛くない。又ガイドＡに傘をはめ込んで持ち歩ける。
大きなサイズでは２つあればリュックにとりつける事ができ肩の痛みが楽になる。
又▲１▼ボディＡや▲２▼カバーＡを各々単独で使う事もできる。▲２▼カバーＡは、柔らかいのでアタッシュケースの様な取っ手が真すぐな物でもとり付けられる。
取りはずしができるので洗濯もできる。【０００３】図１は、上述で説明したがフックＡはバッグの取っ手をガイドＡに導き易くするための物で、ストッパＡは、ガイドＢがズレないためと単独で使用する際手がズレない様自転車のハンドルの様にした物。
図２は、▲３▼ボディＢと▲４▼カバーＢをはめ込んだ状態。▲４▼カバーＢの方が▲３▼ボディＢより高い方がいい。ガイドＡにかからない程度に覆った方が安全。その時▲４▼カバーＢの側面は薄くもできる。▲３▼ボディＢの幅が太いタイプだと握りが太くて握りづらくなる事がある。基本的には、下面に荷がかかるので▲４▼カバーＢの側面はなくてもいい、しかしその時は、▲３▼ボディＢの幅より少し広くないと安定が悪い。
▲４▼カバーＢ▲３▼ボディＢにキーホルダ穴をあける事ができる。１つ以上あける事ができるが図では▲４▼カバーＢ▲３▼ボディＢをお互いにひも等で縛れる様にできる様にした物で、穴の形はハート型等にもできる。
又▲４▼カバーＢは▲２▼カバーＡを厚くもでき又指の形にもできる。▲２▼カバーＡはアーチ形▲４▼カバーＢは直線であるという事で、取っ手を支える部分はアーチがよく、指の部分は直線の方が負担が少ない。
図６では端部がないがある方が、バッグの取っ手が揺れた時のガードになり力も入る。この部分を車の車輪の様にして、全体をポルシェ等の様に車の形にでき、又イノシシ等の様にもできる。着色してもいいが、切り取ってハート型等にしてもよい。又切り取った跡に色の違うハート型等を入れ込む事ができる。▲３▼ボディＢも強度の許す限りできる。
シールを貼る事もできる。
カバーはボディ全体を覆ってしまってもよい。つまりボディが芯になり骨組になる。
ボディも指の形にできる。
図３は、図１のフックＡを太くできキーホルダ穴をあける事ができる事を示した図。
レールは、バッグの取っ手が手前や奥に移動しないための物だが逆にへこませて溝を設けてもよい。レールや溝の数はサイズによる。
フックやストッパは、各々無くてもよい。【０００４】図４は、ボディとカバーを取り付ける際の説明図だが、お互いがしっかり合わさる様にどちらかに溝を設ける事を示した図。特に接着して一体化する時はズレない様に溝を設け又接着面積を増した方が平面どおしで接着するより確実である。
なお接着は、ボディやカバーがプラスチックであればお互いを溶かして一体化すれば接着剤を使わなくてすむ。
図５は主として持ち運ぶ時につけるバンドだが、▲７▼バンドＡでボディとカバー又は、ボディだけ、カバーだけを腕に巻きつけるための物。▲８▼バンドカバーは、直接バッグの取っ手を置く時、▲７▼バンドＡを痛めないための物。中割りや筒状にしてはめ込んだり又、接着剤や縫う等して留める。マジックテープを除いた全体にバンドカバーをしてもよい。バンド本体やバンドカバーには色やリボン等つける事ができ、マジックテープのない一本ゴムでもいい、輪ゴム。
バンドについては図７、図８の様にできる。図７は両方カギでもいいしバンドの真中を互いにカギ又はオスカギ、メスカギにできる。
コードリール、受話機コードのスプリング、穴あきベルト、スライドベルト、スナップ付ベルト、単にロープで結ぶ、カチューシャの様にして腕にはめ込む、磁石でつける、数珠バンド等ある。図７の様に片方を支点としてもいいし図８の様に両合わせ又は両支点にしてもよい。
ゴムなら無理に調整をつける必要はないが、ベルト等硬い物は穴あきベルトスライドベルト、バックル、スナップ等で調整をつける事ができる。
図６▲９▼カバーＣは▲２▼カバーＡに２本指の形をつけた物。指の形は何本つけてもいいのだがつけた分だけ薄くなりクッション性が悪くなる。しかし安定は増す。
ボディやカバーには手袋等のすべり止めゴムを点づけできる。又、自転車の様な溝をつけた物もできる。【０００５】本発明にキーホルダ等をつけビン又はプラスチック等のケースに香料、防臭剤、シリカゲル植物精油、境界活性剤、炭等を入れて、手等の体臭を消す事ができる。ジェル状、液体、粒、パウダー等できる。数種の香りができる。
ボディー、カバー、キーホルダ穴、バンド、バンドカバー、マジックテープ、等本発明品には、色をつける事ができ、又、ハート型等形を切り取ったり、彫刻したり形成したりできる。色は透明を含み、メッキや漆もいい。
大きさは、子供等人によって手肩の大きさが違うので少なくとも小、中、大、特大の４種類は必要。又握りの太いタイプのバッグがあるので、ボディやカバーの高さを高くした深いシリーズも必要。
理想的には、本人の手、腕肩の形や置く位置により若干異なり又バッグの取っ手のカーブも違う。高級なバッグは取っ手のカーブにも美しさがあるので、長さを長くしたりした方がいい事もある。幅、高さ、長さ、角度等、数種あるといい。【０００６】材質はボディはＰＰ、ＰＶＣ、ＬＤＰＥ、ＨＤＰＥ、ＰＳ、ＰＥＴ等熱可塑性プラスチックやＡＢＳ等熱硬化性プラスチック等合成樹脂だがなるべくダイオキシンが発生しない様な物がよく、ＰＥＴ等再利用品が望ましい。
又、鉄、銅、アルミニウム、ステンレス、等又はその合金等金属、木、竹、硬いゴム、紙、骨。アクリル、ガラス、陶磁器等割れ易い物も厚みがあれば可能であった。材質としてはあまり適さないかもしれないが各々の美しさは捨て難い。気泡が入ったとしても美しい。着色もできる。
カバーは、ゴム、プラスチック、発泡体等クッション性のある物が望ましい。
特に低反発性の物ならよい。又汗をよく吸いとるタオル地もいい。
又、おてだまの様に布、皮、ビロード等で覆って中に綿、スポンジ、鳥毛等クッション性の物を入れてもよい。縫ったり、チャックやマジックテープで留める事ができる。
バンドやバンドカバーはゴム、皮、アクリル、プラスチック、布、鉄等金属、金属スプリング又はその複合物。
図のボディやカバーやバンド等は、▲２▼カバーＡ▲４▼カバーＢと書いてあるがすべて、図の例えば図１と図５の変形の物である。
【図面の簡単な説明】
【０００７】
【図１】本発明の斜視図
【図２】本発明の横図
【図３】本発明の斜視図
【図４】本発明の下図
【図５】本発明の上図
【図６】本発明の横図
【図７】本発明の横図
【図８】本発明の横図
【符号の説明】
▲１▼  ボディＡ
▲２▼  カバーＡ
▲３▼  ボディＢ
▲４▼  カバーＢ
▲５▼  ボディＣ
▲６▼  ボディＤ
▲７▼  バンドＡ
▲８▼  バンドカバー
▲９▼  カバーＣ
▲１０▼  ボディＥ
▲１１▼  バンドＢ
▲１２▼  ボディＦ
▲１３▼  バンドＣ
【図１】
2007125353.tif 000003
【図２】
2007125353.tif 000004
【図３】
2007125353.tif 000005
【図４】
2007125353.tif 000006
【図５】
2007125353.tif 000007
【図６】
2007125353.tif 000008
【図７】
2007125353.tif 000009
【図８】
2007125353.tif 000010